【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段の記憶容量は、前記ウォータマークの検出を行う際に必要な最小のデータ量と等しいかあるいはより大きいことを特徴とするデータ再生装置。
【請求項２】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記データ選択手段からのデータ選択信号に応じて、前記データのうち前記ウォータマークを検出するのに必要な最小のデータ単位を記憶することを特徴とするデータ再生装置。
【請求項３】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記データのうち前記ウォータマークを検出するのに必要なデータを含むデータを記憶する動作と、前記ウォータマークを検出するため必要なデータを前記検出手段に対して出力する動作を、時分割で行うことを特徴とするデータ再生装置。
【請求項４】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記データが到来する速度で前記ウォータマークを検出するのに必要なデータを含むデータを記憶することを特徴とするデータ再生装置。
【請求項５】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、データを記憶する動作と再生する動作とにおいて、
記憶する動作では前記データが到来する速度で前記ウォータマークを検出するのに必要なデータを記憶し、
再生する動作では前記検出手段が前記ウォータマークを検出するため必要なデータを前記検出手段が要求する速度で再生することを特徴とするとするデータ再生装置。
【請求項６】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記検出手段は、前記再生処理手段が前記データを再生する速度で前記ウォータマークを検出することを特徴とするデータ再生装置。
【請求項７】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記データ選択手段からのデータ選択信号に応じて、前記データのうち前記ウォータマークを検出するのに必要なデータを含むデータを記憶した後、前記検出手段が前記ウォータマークを検出する処理を行っている間は、前記記憶装置に記憶されている当該ウォータマークを検出するのに必要なデータを更新する動作を停止することを特徴とするデータ再生装置。
【請求項８】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記ウォータマークの検出処理が終了したことを前記検出手段から知らされた後に、当該ウォータマークを検出するのに必要なデータを更新する動作を開始することを特徴とするデータ再生装置。
【請求項９】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、
前記データ選択手段からのデータ選択信号に応じて、
前記ウォータマークを検出するのに必要なデータを含むデータを記憶した後、
前記検出手段により前記ウォータマークの検出処理が行われている間は、前記記憶装置に記憶されている当該ウォータマークを検出するのに必要なデータを更新する動作を停止することと、
前記ウォータマークの検出処理が終了したことを前記検出手段から知らされた後に、当該ウォータマークを検出するのに必要なデータを更新する動作を開始することを特徴とするデータ再生装置。
【請求項１０】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段と、
前記検出手段と前記再生制御手段の間で前記ウォータマーク検出結果データを授受する専用のデータ伝送経路と、
を備えたことを特徴とするデータ再生装置。
【請求項１１】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記検出手段と前記再生制御手段の間の前記ウォータマーク検出結果データの授受には、両者においてあらかじめ取り決めておいた暗号化のための鍵を用いて前記検出結果データを暗号化したものを用いて行うことを特徴とするデータ再生装置。
【請求項１２】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記検出手段と前記再生制御手段の間の前記ウォータマーク検出結果データの授受を行う前には、該データにアクセスする正当な権利を有することを互いに確認し合う認証処理を行い、該認証処理において正当であると確認されたときだけ該データの授受を行うことを特徴とするデータ再生装置。
【請求項１３】
情報記憶媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記検出手段と前記再生制御手段の間の前記ウォータマークの授受に用いる暗号化のための鍵の情報は、該データにアクセスする正当な権利を有することを互いに確認し合う認証処理の過程において互いに交換されることを特徴とするデータ再生装置。
【請求項１４】
前記ウォータマークは、前記データについての著作権保護情報であることを特徴とする請求項１乃至請求項１３のいずれか１項に記載のデータ再生装置。
【請求項１５】
前記検出手段は、所定の間隔で検出動作を繰り返し行い一連の検出結果が第１の所定の回数連続して同一であった時にはその検出結果を真と判断して前記再生制御手段に前記真と判断した第１の真判別データを通知することを特徴とする請求項１乃至請求項１３のいずれか１項に記載のデータ再生装置。
【請求項１６】
前記検出手段は、所定の間隔で検出動作を繰り返し行い一連の検出結果が１番目の所定の回数連続して同一でありその検出結果を真と判断して前記再生制御手段に前記真と判断した第１の真判別データを通知した後は、前記データ以外のデータが２番目の所定の回数連続して検出された場合にその検出結果を真と判断して前記再生制御手段に前記真と判断した第２の真判別データを通知することとし、かつ前記２番目の所定の回数は前記１番目の所定の回数以上であることを特徴とする請求項１乃至請求項１３のいずれか１項に記載のデータ再生装置。
【請求項１７】
前記情報記憶媒体の種別を判別する情報記憶媒体判別手段を備えたことを特徴とする請求項１乃至請求項１３のいずれか１項に記載のデータ再生装置。
【請求項１８】
前記再生制御手段は、前記検出手段で検出されたウォータマークと前記情報記憶媒体の種別に関する情報とから前記データを該データ再生装置の特定のフォーマットの信号出力端子から出力することが許可されているかを判別し、許可されている場合には前記データを特定の信号出力端子より出力するように制御を行うことを特徴とする請求項１７に記載のデータ再生装置。
【請求項１９】
前記データは、ＩＳＯ−ＭＰＥＧ２フォーマットのデータであることを特徴とする請求項１乃至請求項１３のいずれか１項に記載のデータ再生装置。
【請求項２０】
情報記録媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段には、前記データ選択手段からのデータ選択信号に応じて、前記データのうち前記ウォータマークを検出するのに必要な最小のデータ単位が間欠的に書き込まれることを特徴とするデータ再生装置。
【請求項２１】
情報記録媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記データ記憶手段は、前記検出手段への記憶データの出力処理をしているときに入力されるウォータマークが埋め込まれたデータを記憶せず、前記検出手段へのデータ出力処理が終了した後に入力されるウォータマークが埋め込まれたデータを記憶することを特徴とするデータ再生装置。
【請求項２２】
情報記録媒体から画像や音声の情報であるデータと該データに埋め込まれたウォータマークの再生処理を行なう再生処理手段と、
前記ウォータマークを検出する検出手段と、
前記ウォータマークを検出するために必要なデータを選択するデータ選択手段と、
前記ウォータマークを検出するために必要なデータを蓄えるデータ記憶手段と、
前記検出手段による検出結果に応じて前記再生処理手段による再生を制御する再生制御手段を備え、
前記再生処理手段と前記検出手段とは前記記憶手段を共用することを特徴とするデータ再生装置。
【手続補正２】
【補正対象書類名】明細書
【補正対象項目名】００１６
【補正方法】変更
【補正の内容】
【００１６】
本仮定の上で、ウォータマーク検出装置を有するデータ再生装置には、情報記憶媒体から画像や音声の情報であるデータと該データに埋め込まれたウォータマークの再生処理を行なう再生処理手段と、
前記データに埋め込まれた前記ウォータマークを検出する検出手段と、
前記ウォータマークを検出するために必要なデータを選択するデータ選択手段と、
前記ウォータマークの検出を行うために必要なデータを蓄えるデータ記憶手段と、
前記検出手段による検出結果に応じて前記再生処理手段による再生を制御する再生制御手段を備え、
前記データ記憶手段は、前記データが到来する速度（データ転送レート）で前記ウォータマークを検出するのに必要なデータを記憶する動作と、
前記検出手段が前記ウォータマークを検出するため必要なデータを前記検出手段が要求する速度（データ転送レート）で再生する動作を同時に行うことが可能であり、
かつ、前記データ選択手段からのデータ選択信号に応じて、前記データのうち前記ウォータマークを検出するのに必要なデータを記憶した後、前記検出手段により前記ウォータマークを検出するための処理が行われている間は、前記記憶装置に記憶されているウォータマークを検出するのに必要なデータの更新を停止することと、
前記検出手段から前記ウォータマークを検出するための処理が終了したことを知らされた後に、前記ウォータマークを検出するのに必要なデータの更新を開始することができるようにする。
【手続補正３】
【補正対象書類名】明細書
【補正対象項目名】００１７
【補正方法】変更
【補正の内容】
【００１７】
これにより、ウォータマーク検出の対象となるデータを一旦バッファメモリの機能を持つデータ記憶手段に蓄え、ウォータマーク検出は前記データ記憶手段に蓄えられたデータに対して行うことができるため、高速なデータ転送レートを持つデータから直接ウォータマーク検出を行う必要が無くなり、検出速度の制約が解消される。また、１回のウォータマーク検出が終了した後は、再び前記データ記憶手段の中のデータを更新し、更新された新たなデータを対象としてウォータマーク検出を行うように機能するため、間欠的にではあるが、埋め込まれているウォータマークを継続して検出することができ、このため、信号劣化等の理由で１回目の検出の際にウォータマークが正しく検出できない場合でも、次回以降の検出結果を用いてコピー制御処理を行うことができる。